(57)【要約】      （修正有）【課題】人が自らの運動で多様な運動ができるシーソー式自動運動器具を提供する。【解決手段】概ね長方形状の板状の素材１の片面の長辺中央付近に、板の短辺の長さほどの柱状形の素材からなる支点部２を当接させ、それをすべり止めシート３で、板の短辺側の外周と柱状形の素材を帯状にくるんだシーソー式の構造である。音が鳴る構造やカウンターなどをつけることによって付加価値を高める。【選択図】図１
0003201790.tif 000002
【実用新案登録請求の範囲】
【請求項１】
板状の素材と、支点になる素材を当接させたシーソーのしくみを使い、人の自らの動きにより、多機能的に運動やストレッチができる健康器具。
【請求項２】
請求項１、または４の仕組みを持ち、運動の度に音が出る健康器具。
【請求項３】
請求項１、または４の仕組みを持ち、運動の回数がカウンター表示される健康器具。
【請求項４】
請求項１の、シーソーの仕組みを使った基本的形状を持ち、支点部を長くして、２枚の板状素材を間をあけて並べ、左右両足がいっぺんに乗せられる形をもった健康器具。
【考案の詳細な説明】
【技術分野】
【０００１】  本考案は、足踏み型健康リハビリ器具に関する。
【背景技術】
【０００２】  従来の足踏み型健康リハビリ器具は  電動で、ある程度の重さがあった。
価格も高く、福祉施設等では多くの台数の導入は難しかった。
福祉施設等では、いっぺんに多くの利用者に、手軽に使える足踏み型器具がなかった。
【考案の開示】
【考案が解決しようとする課題】
【０００３】  １、従来品は、持ち運びには重くて不便であった。
２、従来品は、電源コードをコンセントに差し込まなければならなかったので、設置場所に制約があった。
３、従来品は、運動の開始時や途中で作動を止めるにはスイッチ操作が必要であった。
４、従来品は、高齢者施設等で使用する際には、この器具の設置場所まで高齢者に来てもらわなくてはならなかった。
５、従来品は、運動の角度は、選択できないか、できても段階的であった。運動の種類も単一的であった。
６、施設内で椅子や車イスに腰かけていることが多い利用者に、その場で座位のまま手軽に運動ができる器具がなかった。
７、ベッド上で臥位をとりながら、関節の拘縮を積極的に予防するための運動器具がなかった。
などの不都合を解決することを課題とする。
【課題を解決するための手段】
【０００４】  そこで、請求項１の考案は、板状の素材に、支点になる素材を当接させ、滑り止めの素材でくるんだ、シーソーの仕組みを特徴とする、シーソー式の自動運動器具である。座位や臥位のまま、支点のない側の面に足裏面をつけて、自動運動（人の自らの動き）により、さまざまな下肢の運動ができる。また、立位で、足の一部、足指の方だけ器具につけることによってストレッチもできる器具である。基本形状は足踏み型ではあるが、利用は足裏だけにとどまらず、手首、手指、膝、肩、股関節をはじめ、身体のさまざまな部位に応用して運動やストレッチをすることができる多機能な運動器具である。【０００５】  請求項２の考案は、請求項１の考案に加えて、運動の度に音の鳴る仕組みを組み込んだものである。【０００６】  請求項３の考案は、請求項１の考案に加えて、運動回数をカウントできるカウンター機能を組み込んだものである。【０００７】  請求項４の考案は、請求項１と同様にシーソーの仕組みを持ち、２枚の板状の素材を、間をあけて横に並列させた形状の、並列足踏み型自動運動器である。両足を乗せて使うことができる。この形状においても、請求項２、請求項３の考案を組み合わせることもできる。
【考案の効果】
【０００８】  本考案により、上記の課題は解消される。動力を使わず、非常に簡単な仕組みで、大きさも重さも従来品より小さい。持ち運びが容易で、電源も必要とせず、電源コードもスイッチ操作も必要ない。滑り止めシート等でくるむことにより、置いた場所で器具が滑ることを防いでおり、足や靴が滑ることも防いでいる。床などを傷つけることも少ない。施設内で椅子や車イスに腰かけていることが多い利用者に、足元に本考案品を置くことにより、その場で座位のまま手軽に運動ができる。価格も安価が見込めるので、福祉施設等で多数個導入しやすい。【０００９】足裏面をつけて使用する際、本考案品は床に置いて使用するほか、ベッドのフットボードなどに押しあてて運動することにより、臥位のままでも利用が可能であり、寝たきりの人への利用も一部可能である。足関節の底背屈による腓腹筋の収縮弛緩は、筋肉ポンプの役割をし循環を促したり、関節拘縮を予防する効果が期待される。
また足裏面で使用するだけでなく、手指、手掌、肘、脇、両膝の間、座位の大腿の下、座位の臀部の下  等、多くの部位で、屈伸、つかむ、はさむ、押す、ストレッチ、等  多様な種類の運動ができる。このように、本考案品を使用することによって、さまざまな状態の利用者に多目的に運動の機会を提供することが可能である。
もちろん、健常者でも使用可能であるので、家庭内やオフィスや商店や受験生など、なかなか運動ができない人に運動の機会を提供できる。「ながら運動」も可能である。【００１０】  板状の素材と支点となる素材を、ヒモ状のもので縛って当接した場合、縛る位置を変えることで、運動の角度や振り幅を調節することができる。また、支点となる素材は、厚紙などで容易に高さを増すように作り変えることができ、これでもまた運動角度や振り幅を調節することができる。【００１１】  請求項２の音の鳴る器具は、上記の効果に加え、身体を動かす度に音が鳴ることで、運動を確認できる。音が鳴ることで楽しさも加わる。楽器代わりに使用することもできる。音の鳴る装置のある場所を示すように、シート状の素材に目印をつけた場合は、音がする場所がピンポイントで容易にわかり、鳴らしやすい。音の鳴る笛等を着脱可能な方法で付ければ、はずして使用した場合は、作動音がほとんどないためオフィスなどでも、周りの人に音の迷惑をかけないように使用することができる。【００１２】  請求項３のカウンター機能は、運動の度に回数がカウントされることによって、運動回数を把握できるものである。運動回数が可視化できることで運動量の管理がしやすい。【００１３】  請求項４は、請求項１が板状の素材が１枚なのに対し、２枚の板状の素材を持ち、支点部は１本の長い支点部を両端で共用している。左右の足を両方とも乗せて運動ができるようにした並列シーソー式自動運動器具である。請求項１の考案品同様、多様な使い方が可能である。床面や座面に置いた時の安定度がよい。運動器具として使用するだけでなく、床面置きでは足置き台としての利用法もある。
【考案を実施するための最良の形態】
【００１４】  本考案に係る自動運動器具は、図１に示すように、シーソーの仕組みを特徴とする。
図１の正面図に示すように、板状のものに、長辺の一部に支点となる柱状のものを当接させることによって、シーソーのように、置いた時の不安定さを作り出す。柱状のものの断面は丸い形に限らない。
柱状のものは中空にしてもよく、ヒモなどで板状のものと縛って当接させてもよい。
滑り止めシート等のシート状素材で、板のまわりを帯状にくるむ。シート素材は輪にする。
端と端を粘着テープ等で留め、輪にしてもよい。
図２は  シーソーの仕組みを特徴とする、シーソー式自動運動器具の平面図である。【００１５】  図３と図４は、使用例の図である。シーソー式自動運動器具で足首の運動をしている際の図である。シーソーの不安定な仕組みを利用し、使用者自らの運動で、足関節の背屈と底屈をおこなっている。【００１６】  図５も、使用例の図である。シーソー式自動運動器具でストレッチ運動をしている際の図である。板状の素材の傾きを利用し、足の一部をシーソー式自動運動器具の上に乗せることで、下肢のストレッチを行っている【００１７】  図６は、シーソー式自動運動器具に、請求項２の、運動の度に音の鳴る仕組みを組み込んだものの図である。板状の素材とシート状素材の間に、鳴き笛等、運動の刺激により音の出るものを入れ、運動の度に音が出る。組み込むのは片方でもよく両端部でもよい。装着方法に面ファスナーなどを使うことによって音の鳴る笛等を着脱可能にすることも可能である。【００１８】  図７は、図１の仕組みを持つシーソー式自動運動器具を横に２個並列させたような形状の、いっぺんに両足を乗せて運動できる、並列シーソー式自動運動器具の平面図である。柱状の支点部は、請求項１の支点部より長く、両端で板状の素材と当接している。２つの板状の素材は、支点部を軸としてそれぞれにシーソーのように動く。並列シーソー式自動運動器具の正面は、図１と同じ仕組みを持つ。
【図面の簡単な説明】
【００１９】
【図１】シーソーの仕組みを特徴とする、シーソー式自動運動器具の正面図である。
【図２】シーソーの仕組みを特徴とする、シーソー式自動運動器具の平面図である。
【図３】シーソー式自動運動器具の使用例の図である。
【図４】シーソー式自動運動器具の使用例の図である。
【図５】シーソー式自動運動器具の使用例の図である。
【図６】シーソー式自動運動器具に、請求項２の、運動の度に音の鳴る仕組みを組み込んだものの図である。
【図７】シーソーの仕組みを特徴とする、シーソー式自動運動器具を２個並列させた並列シーソー式自動運動器具の平面図である。
【符号の説明】
【００２０】  １      板状の素材
２      支点部
３      シート状の素材
４      押すと音が出る笛など
Ｌ      足
Ｆ      床、ベッドのフットボードなど
【図１】
0003201790.tif 000003
【図２】
0003201790.tif 000004
【図３】
0003201790.tif 000005
【図４】
0003201790.tif 000006
【図５】
0003201790.tif 000007
【図６】
0003201790.tif 000008
【図７】
0003201790.tif 000009
【手続補正書】
【提出日】平成27年9月30日(2015.9.30)
【手続補正１】
【補正対象書類名】実用新案登録請求の範囲
【補正対象項目名】全文
【補正方法】変更
【補正の内容】
【実用新案登録請求の範囲】
【請求項１】
概ね長方形の板状の素材の片面の長辺中央付近に、板の短辺の長さほどの柱状形の素材を、長方形の短辺と平行の方向に当接させ、それをすべり止めシート等のシート状の素材で、板の短辺側の外周と柱状形の素材を帯状にくるむことを特徴とする、シーソー式自動運動器具。
【請求項２】
柱状形の素材を当接させた面と同じ面の端部に、鳴き笛等押すと音の鳴るものを当接させることを特徴とする、請求項１記載のシーソー式自動運動器具。
【請求項３】
運動回数をカウントするカウンターを取り付けることを特徴とする請求項１記載のシーソー式自動運動器具。
【請求項４】
長方形の板状の２枚の素材の片面の長辺中央付近に、柱状形の素材の両端部を、長方形の短辺と平行の方向にそれぞれ当接させ、それぞれの板に、滑り止めシート等のシート状の素材で、板の短辺側の外周と柱状形の素材を帯状にくるむことを特徴とする、シーソー式自動運動器具。